(57)【要約】      （修正有）【課題】様々な内装レイアウトを有する部屋に適応し、ユーザーの時間帯別の需要を満たすことができる音声信号処理装置及びスピーカーを提供する。【解決手段】音声信号処理装置は、デジタル信号処理モジュール１２、入力モジュール１１、出力モジュール１３及び制御モジュール１４を含む。デジタル信号処理モジュールは、入力モジュールと出力モジュールに接続される。制御モジュールは、出力モジュールに接続される。出力モジュールは、２本以上の出力チャンネル１３１、１３２、１３３〜から構成される。夫々の出力チャンネルは、直列に接続されているパワーアンプと拡声器とを含む。デジタル信号処理モジュールは、２つ以上の音声処理信号を取得するために、受信した音声信号を少なくとも２種類の異なる音声処理アルゴリズムを用いて処理する。制御モジュールは、それぞれの出力チャンネル内のパワーアンプのオン・オフ動作及び動作中の増幅率を制御する。【選択図】図１
2019165443.tif 000002
【特許請求の範囲】
【請求項１】
音声信号処理装置であって、
デジタル信号処理モジュール、入力モジュール、出力モジュール及び制御モジュールを含み、
前記デジタル信号処理モジュールは、前記入力モジュールと前記出力モジュールに接続され、前記制御モジュールは、前記出力モジュールに接続され、
前記出力モジュールは、２本以上の出力チャンネルから構成され、それぞれの出力チャンネルは、直列に接続されているパワーアンプと拡声器とを含み、
前記デジタル信号処理モジュールは、前記入力モジュールから出力される音声信号を受信した後、２つ以上の音声処理信号を取得するために、少なくとも２種類の異なる音声処理アルゴリズムを用いて前記音声信号を処理し、前記２つ以上の音声処理信号を前記出力モジュールを介して出力することに用いられ、それぞれの音声処理信号はそれぞれの出力チャンネルに対応し、
前記制御モジュールは、前記出力モジュールが前記音声処理信号を出力する過程において、それぞれの出力チャンネル内のパワーアンプのオン・オフ動作及び動作中の増幅率を制御することに用いられる、ことを特徴とする音声信号処理装置。
【請求項２】
前記制御モジュールは、セントラルプロセッサとＩＩＣバス拡張チップとから構成され、
前記セントラルプロセッサは、前記ＩＩＣバス拡張チップを介して前記出力モジュールに接続されており、それぞれの出力チャンネル内のパワーアンプのオン・オフ動作及び動作中の増幅率を制御することに用いられる、ことを特徴とする請求項１に記載の音声信号処理装置。
【請求項３】
前記出力モジュールは、第１のパワーアンプを含む第１の出力チャンネルと、第２のパワーアンプを含む第２の出力チャンネルとを含み、
前記ＩＩＣバス拡張チップは、第１のＩＩＣバス出力ポートを含み、
前記第１のＩＩＣバス出力ポートは、前記第１のパワーアンプ及び前記第２のパワーアンプに接続され、前記セントラルプロセッサは、前記第１のＩＩＣバス出力ポートによって前記第１のパワーアンプのオン・オフ動作及び動作中の増幅率、且つ、前記第２のパワーアンプのオン・オフ動作及び動作中の増幅率を制御する、ことを特徴とする請求項２に記載の音声信号処理装置。
【請求項４】
さらに、前記出力モジュールは、第３のパワーアンプを含む第３の出力チャンネルと、第４のパワーアンプを含む第４の出力チャンネルとを含み、
前記ＩＩＣバス拡張チップは、第２のＩＩＣバス出力ポートを含み、
前記第２のＩＩＣバス出力ポートは、前記第３のパワーアンプ及び前記第４のパワーアンプに接続され、前記セントラルプロセッサは、前記第２のＩＩＣバス出力ポートによって前記第３のパワーアンプのオン・オフ動作及び動作中の増幅率、且つ、前記第４のパワーアンプのオン・オフ動作及び動作中の増幅率を制御する、ことを特徴とする請求項３に記載の音声信号処理装置。
【請求項５】
さらに、前記出力モジュールは、第５のパワーアンプを含む第５の出力チャンネルを含み、
前記ＩＩＣバス拡張チップは、第３のＩＩＣバス出力ポートを含み、
前記第３のＩＩＣバス出力ポートは、前記第５のパワーアンプに接続され、前記セントラルプロセッサは、前記第３のＩＩＣバス出力ポートによって前記第５のパワーアンプのオン・オフ動作及び動作中の増幅率を制御する、ことを特徴とする請求項４に記載の音声信号処理装置。
【請求項６】
さらに、前記ＩＩＣバス拡張チップは、第４のＩＩＣバス出力ポートを含み、前記第４のＩＩＣバス出力ポートは、前記デジタル信号処理モジュールに接続されており、前記デジタル信号処理モジュールのオン・オフ動作を制御することに用いられる、ことを特徴とする請求項５に記載の音声信号処理装置。
【請求項７】
前記入力モジュールは、第１の入力モジュール、第２の入力モジュール及びデジタル変換回路から構成され、
前記第１の入力モジュールは、ネットワーク音声信号又はデジタル音声信号を集積回路内蔵音声信号に変換することに用いられ、前記第２の入力モジュールは、アナログ音声信号を集積回路内蔵音声信号に変更することに用いられ、
前記デジタル変換回路の入力側は、前記第１の入力モジュールと前記第２の入力モジュールに接続され、出力側は、前記デジタル信号処理モジュールに接続されており、前記第１の入力モジュール又は第２の入力モジュールから出力される集積回路内蔵音声信号を、前記デジタル信号処理モジュールの受信する音声信号として選択することに用いられる、ことを特徴とする請求項２に記載の音声信号処理装置。
【請求項８】
前記セントラルプロセッサは、共通出入力ポートを備え、前記セントラルプロセッサは、前記共通出入力ポートを介して前記デジタル変換回路に接続され、
前記デジタル変換回路は、前記共通出入力ポートのレベルの高さによって前記第１の入力モジュール又は第２の入力モジュールから出力される集積回路内蔵音声信号を、前記デジタル信号処理モジュールの受信する音声信号として選択する、ことを特徴とする請求項７に記載の音声信号処理装置。
【請求項９】
前記第１の入力モジュールは、前記セントラルプロセッサに集積される、ことを特徴とする請求項７に記載の音声信号処理装置。
【請求項１０】
さらに、前記音声信号処理装置は、無線受信モジュールを含み、前記無線受信モジュールは、前記制御モジュールに接続されており、ユーザーから送信される制御コマンドを受信し、前記制御コマンドを前記制御モジュールに送信することに用いられ、前記制御モジュールは、前記制御コマンドによってそれぞれ出力チャンネル中のパワーアンプのオン・オフ動作及び動作中の増幅率を制御する、ことを特徴とする請求項１に記載の音声信号処理装置。
【請求項１１】
前記セントラルプロセッサは、ＡＰＱ８００９チップである、ことを特徴とする請求項２に記載の音声信号処理装置。
【請求項１２】
請求項１から１１のうちいずれか一項に記載の音声信号処理装置を含むスピーカーであって、前記スピーカーは円筒体であり、前記出力モジュール内の各拡声器は、前記スピーカーの側面及び／又は端面に取り付けられる、ことを特徴とするスピーカー。
【請求項１３】
前記出力モジュールは、第１の出力チャンネル、第２の出力チャンネル、第３の出力チャンネル、第４の出力チャンネル及び第５の出力チャンネルを含み、前記第１の出力チャンネル、前記第２の出力チャンネル及び前記第３の出力チャンネルは、それぞれ２つの拡声器を含み、前記第４の出力チャンネル及び前記第５の出力チャンネルは、それぞれ１つの拡声器を含み、
前記第１の出力チャンネルから前記第５の出力チャンネル内の７つの拡声器は、前記スピーカーの側面に取り付けられ、もう１つの拡声器は、前記スピーカーの端面に取り付けられる、ことを特徴とする請求項１２に記載のスピーカー。
【請求項１４】
前記デジタル信号処理モジュールは、２種類の異なる音声処理アルゴリズムを用い、前記２種類の異なる音声処理アルゴリズムは、それぞれ中高周波数フィルタリングと低周波数フィルタリングであり、前記第１の出力チャンネルから前記第４の出力チャンネルの７つの拡声器は中高周波数フィルタリング後の音声処理信号を出力し、前記第５の出力チャンネルは、低周波数フィルタリング後の音声処理信号を出力し、前記第１の出力チャンネルから前記第４の出力チャンネルの７つの拡声器は、前記スピーカーの側面に取り付けられ、前記第５の出力チャンネルの拡声器は、前記スピーカーの端面に取り付けられる、ことを特徴とする請求項１３に記載のスピーカー。
【発明の詳細な説明】
【技術分野】
【０００１】
本出願は、音声信号処理分野に属し、特に音声信号処理装置及びスピーカーに関する。
【背景技術】
【０００２】
通常、ユーザーがネットワークからダウンロードした音声ファイルはいずれも圧縮された音声ファイルであり、ユーザーがマイクを介して端末デバイスに録音した音声信号にも多くのノイズが含まれており、ネットワークからダウンロードした音声ファイルを直接的に再生するか、マイクによりピックアップした音声信号を再生すると、最終の再生効果に影響を与え、ユーザーの体験を低下させる。したがって、より良いサウンド効果を得るために、音声信号処理装置が登場した。音声信号処理装置は、音声を再生する前に用いられる。圧縮中に失われた情報を復元し、又はノイズ等をフィルタリングするために、入力した音声信号を音声処理アルゴリズムで事前に処理する。一般的に使われている音声処理アルゴリズムには、信号平衡、低音ブースト、遅延及びフィルタリング等がある。
【０００３】
現在、市販されている音声信号処理装置は、単一の音声特徴を有する音声信号しか出力できない。しかし、部屋によって内装レイアウトは異なり、様々な部屋が同じサウンド効果を得るためには、部屋に応じて異なる音声信号処理装置を設置する必要があり、それは間違いなくコストを高めることになる。また、同一ユーザーでも最後再生する音声信号への需要は時間帯によって異なるため、従来の音声信号処理装置は、同一ユーザーの時間帯別のニーズを満たすことができない。
【発明の概要】
【発明が解決しようとする課題】
【０００４】
本出願は、様々な内装レイアウトを有する部屋に適応し、ユーザーの時間帯別の需要を満たすことができる音声信号処理装置及びスピーカーを提供することを目的とする。
【課題を解決するための手段】
【０００５】
本出願の第１の態様において、音声信号処理装置を提供し、
デジタル信号処理モジュール、入力モジュール、出力モジュール及び制御モジュールを含み、
上記デジタル信号処理モジュールは、上記入力モジュールと上記出力モジュールに接続され、上記制御モジュールは、上記出力モジュールに接続され、
上記出力モジュールは、２本以上の出力チャンネルから構成され、それぞれの出力チャンネルは、直列に接続されているパワーアンプと拡声器とを含み、
上記デジタル信号処理モジュールは、上記入力モジュールから出力される音声信号を受信した後、少なくとも２種類の異なる音声処理アルゴリズムを用いて上記音声信号を処理し、２つ以上の音声処理信号を取得し、上記２つ以上の音声処理信号を上記出力モジュールを介して出力し、それぞれの音声処理信号はそれぞれの出力チャンネルに対応し、
上記制御モジュールは、上記出力モジュールが上記音声処理信号を出力する過程において、それぞれの出力チャンネル内のパワーアンプのオン・オフ動作及び動作中の増幅率を制御することに用いられる。
【０００６】
本出願の第２の態様において、スピーカーを提供し、上記の音声信号処理装置を含み、上記スピーカーは円筒形であり、上記出力モジュール内の各拡声器は、上記スピーカーの側面及び／又は端面に取り付けられる。
【発明の効果】
【０００７】
上記により、本出願は、音声信号処理装置を提供し、デジタル信号処理モジュール、入力モジュール、出力モジュール及び制御モジュールを含み、該デジタル信号処理モジュールは、該入力モジュールと該出力モジュールに接続され、該制御モジュールは、該出力モジュールに接続され、該出力モジュールは、２本以上の出力チャンネルを含み、それぞれの出力チャンネルは、直列に接続されているパワーアンプと拡声器とから構成され、上記デジタル信号処理モジュールは、上記入力モジュールから出力される音声信号を受信し、２種類以上の音声処理アルゴリズムを用いて該音声信号を処理し、それにより２つ以上の音声処理信号を出力し、該２つ以上の音声処理信号をそれぞれ出力モジュールの各出力チャンネルに出力し、それぞれの音声処理信号は、それぞれの出力チャンネルに対応し、また、上記制御モジュールは、それぞれの出力チャンネル内のパワーアンプのオン・オフ動作及び動作中の増幅率を制御することができる。上記により、デジタル信号処理モジュールは、入力する音声信号を２種類以上の音声処理アルゴリズムを用いて処理し、２つ以上の音声処理信号を取得し、それにより、該音声信号処理装置は、２種類以上の音声特徴を有する音声信号を出力し、また、該音声信号処理装置は、ユーザーが望むサウンド効果を得るため、異なる音声特徴を有する音声信号を混合し、本出願によって提供される音声信号処理装置は、様々なサウンド効果を実現し、異なる内装レイアウトの部屋に適応でき、ユーザーの時間帯別の需要を満たし、ユーザー体験を向上させ、さらにある程度の娯楽効果をもたらすことができる。
【０００８】
本出願の実施例の技術的解決手段をより明確に説明するためには、以下、実施例又は先行技術を説明するために必要な図面を簡単に説明する。明らかに、下記の図面は、本出願の実施例の一部に過ぎず、当業者であれば、創造的な工夫をせずに、これらの図面に基づいて他の図面を取得することができる。
【図面の簡単な説明】
【０００９】
【図１】本出願の実施例１による音声信号処理装置の構造概略図である。
【図２】本出願の実施例２による他の音声信号処理装置の構造概略図である。
【図３】本出願の実施例３によるスピーカーの構造概略図である。
【発明を実施するための形態】
【００１０】
本出願の目的、技術的解決手段及び利点をより分かりやすくするために、以下、図面及び実施例に合わせて、本出願を詳細に説明する。本明細書に記載される具体的な実施例は、本出願を説明することに過ぎず、本出願を限定するものではないことが理解される。
【００１１】
実施例１
以下、本出願の実施例１による音声信号処理装置について説明する。説明の便宜上、本出願に関わる部分のみを示す。図１を参照するに、本出願の実施例１の音声信号処理装置は、入力モジュール１１、デジタル信号処理モジュール１２、出力モジュール１３及び制御モジュール１４を含む。
【００１２】
上記デジタル信号処理モジュール１２は、上記入力モジュール１１と上記出力モジュール１３に接続され、上記制御モジュール１４は、上記出力モジュール１３に接続される。
【００１３】
上記出力モジュール１３は、２本以上の出力チャンネルから構成される。本出願の実施例１において、出力モジュール１３は、３本の出力チャンネルから構成され、それぞれは第１の出力チャンネル１３１、第２の出力チャンネル１３２及び第３の出力チャンネル１３３であり、それぞれの出力チャンネルは、直列に接続されているパワーアンプと拡声器とから構成され、それぞれの出力チャンネルには１つ又は２つ以上の拡声器が含まれる。
【００１４】
上記デジタル信号処理モジュール１２は、上記入力モジュール１１から出力される音声信号を受信し、少なくとも２種類の異なる音声処理アルゴリズムで上記音声信号を処理し、２つ以上の音声処理信号を取得する。本出願の実施例１において、該デジタル信号処理モジュール１２は、３つの音声処理信号を出力し、該３つの音声処理信号をそれぞれに第１の出力チャンネル１３１、第２の出力チャンネル１３２及び第３の出力チャンネル１３３に出力する。上記３つの音声処理信号を取得するには、デジタル信号処理モジュール１２が上記音声信号に対し３種類の音声処理アルゴリズムを用いることができる。上記３種類の音声処理アルゴリズムは、それぞれは高周波数フィルタリング、中周波数フィルタリング及び低周波数フィルタリングであり、該音声信号中の高周波数部分、中周波数部分及び低周波数部分をフィルタリングし、３つの音声処理信号を生成する。また、本出願の実施例において、デジタル信号処理モジュール１２は、フィルタリングのほかに、受信した音声信号に対し遅延等の他の処理を行うことができる。また、上記３つの音声処理信号を取得するには、デジタル信号処理モジュール１２が２種類の音声処理アルゴリズムを用いることができる。この場合、２つの音声処理信号は同じである。
【００１５】
上記制御モジュール１４は、それぞれの出力チャンネル内のパワーアンプのオン・オフ動作及び動作中の増幅率を制御するために使用され、該制御モジュール１４は、１本の出力チャンネルの動作のみを制御することができ、多数本の出力チャンネルの動作も制御することもできる。ユーザーは、該音声信号処理装置のボタンで制御コマンドを伝送することができ、リモコンで制御コマンドを伝送することもできる。この場合、該音声信号処理装置は、さらに無線受信モジュールを含み、ユーザーから伝送される制御コマンドを受信し、該制御コマンドを制御モジュール１４に送信するために用いられる。制御モジュール１４は、ユーザーから伝送される制御コマンドを受信した後、それぞれの出力チャンネルの動作状態を制御する。
【００１６】
上記により、デジタル信号処理モジュールは、入力する音声信号を２種類以上の音声処理アルゴリズムを用いて処理し、２つ以上の音声処理信号を取得し、それにより、該音声信号処理装置は、２種類以上の音声特徴を有する音声信号を出力し、また、該音声信号処理装置は、ユーザーが望むサウンド効果を得るため、異なる音声特徴を有する音声信号を混合することができ、本出願によって提供される音声信号処理装置は、様々なサウンド効果を実現し、異なる内装レイアウトを有する部屋に適応でき、ユーザーの時間帯別の需要を満たし、ユーザー体験を向上させ、さらにある程度の娯楽効果をもたらすことができる。
【００１７】
実施例２
図２は、本出願の実施例２による提供される音声信号処理装置の構造概略図である。説明の便宜上、本出願に関わる部分のみを示す。該音声信号処理装置は、入力モジュール２１、デジタル信号処理モジュール２２、出力モジュール２３及び制御モジュール２４を含む。
【００１８】
上記入力モジュール２１は、第１の入力モジュール２１１、第２の入力モジュール２１２及びデジタル変換回路２１３から構成される。上記第１の入力モジュール２１１は、ネットワーク音声信号又はデジタル音声信号を受信し、該ネットワーク音声信号又はデジタル音声信号をＩ２Ｓ信号（Ｉｎｔｅｒ−ＩＣ  Ｓｏｕｎｄ、集積回路内蔵音声信号）に変換するために用いられる。上記第２の入力モジュール２１２は、アナログ音声信号を受信し、該アナログ音声信号をＩ２Ｓ音声信号に変換することに用いられる。上記デジタル変換回路２１３は、上記第１の入力モジュール２１１と上記第２の入力モジュール２１２に接続されており、上記第１の入力モジュール２１１から出力されるＩ２Ｓ信号をデジタル信号処理モジュール２２に伝送するか、上記第２の入力モジュール２１２から出力されるＩ２Ｓ信号をデジタル信号処理モジュール２２に伝送するかを選択するために用いられる。該デジタル変換回路２１３は、制御ユニットと２入力１出力スイッチから構成される。該制御ユニットは、１つのＧＰＩＯポート（Ｇｅｎｅｒａｌ  Ｐｕｒｐｏｓｅ  Ｉｎｐｕｔ  Ｏｕｔｐｕｔ、共通出入力ポート）を含め、該ＧＰＩＯポートを介して該２入力１出力スイッチに接続され、該制御ユニットは該ＧＰＩＯポートのレベルの高さを制御することにより信号の選択を実現する。
【００１９】
本出願の実施例２において、デジタル信号処理モジュール２２は、実施例１のデジタル信号処理モジュール１２と同じ機能を有する。具体的には実施例１の記述を参照し、ここで再度の説明を省略する。
【００２０】
出力モジュール２３は、第１の出力チャンネル２３１、第２の出力チャンネル２３２、第３の出力チャンネル２３３、第４の出力チャンネル２３４及び第５の出力チャンネル２３５の５本の出力チャンネルを備える。該第１の出力チャンネル２３１は第１のパワーアンプを含み、該第２の出力チャンネル２３２は第２のパワーアンプを含み、該第３の出力チャンネル２３３は、第３のパワーアンプを含み、該第４の出力チャンネル２３４は第４のパワーアンプを含み、該第５の出力チャンネル２３５は第５のパワーアンプを含む。
【００２１】
制御モジュール２４は、セントラルプロセッサ２４１とＩＩＣバス拡張チップ２４２とから構成され、該セントラルプロセッサ２４１は、ＩＩＣバス出力ポートを備え、セントラルプロセッサ２４１は、該ＩＩＣバス出力ポートを介して該ＩＩＣバス拡張チップに接続され、該ＩＩＣバス拡張チップは、第１のＩＩＣバス出力ポート、第２のＩＩＣバス出力ポート及び第３のＩＩＣバス出力ポートを含み、該セントラルプロセッサ２４１は、ユーザーから伝送される制御コマンドを受信し、ＩＩＣバス拡張チップを介して出力モジュール２３に伝送し、出力モジュール２３内のそれぞれの出力チャンネルの動作状態を制御する。
【００２２】
上記第１のＩＩＣバス出力ポートは、上記第１のパワーアンプ及び上記第２のパワーアンプに接続され、該第１のパワーアンプと該第２のパワーアンプは異なるアドレスを備え、上記セントラルプロセッサ２４１は、上記第１のＩＩＣバス出力ポートを介して上記第１のパワーアンプのオン・オフ動作及び動作中の増幅率、且つ、上記第２のパワーアンプのオン・オフ動作及び動作中の増幅率を制御する。上記第２のＩＩＣバス出力ポートは、上記第３のパワーアンプ及び上記第４のパワーアンプに接続され、該第３のパワーアンプと該第４のパワーアンプは、異なるアドレスを備え、上記セントラルプロセッサ２４１は、上記第２のＩＩＣバス出力ポートを介して上記第３のパワーアンプのオン・オフ動作及び動作中の増幅率、且つ、上記第４のパワーアンプのオン・オフ動作及び動作中の増幅率を制御する。上記第３のＩＩＣバス出力ポートは、上記第５のパワーアンプに接続され、上記セントラルプロセッサ２４１は、上記第３のＩＩＣバス出力ポートを介して上記第５のパワーアンプのオン・オフ動作及び動作中の増幅率を制御する。
【００２３】
セントラルプロセッサは、通常ＧＰＩＯポートを備えるため、上記制御ユニットを上記セントラルプロセッサ２４１内に集積することができる。該セントラルプロセッサ２４１は、ＧＰＩＯポートを介して上記デジタル変換回路２１３内の２入力１出力スイッチに接続され、該デジタル変換回路２１３を制御して信号の選択を実現する。また、製造コストを節約するために、上記第１の入力モジュール２１１を上記セントラルプロセッサ２４１内に集積することができる。本出願の実施例２において、上記セントラルプロセッサはＡＰＱ８００９チップを選択することができる。
【００２４】
また、本出願の実施例２において、さらに、上記ＩＩＣバス拡張チップ２４２は、第４のＩＩＣバス出力ポートを含み、セントラルプロセッサ２４１とデジタル信号処理モジュール２２との間のデータ通信を実現するために用いられる。例えば、デジタル信号処理モジュール２２のオン・オフ動作等を制御する。
【００２５】
上記により、本出願の実施例２は、実施例１と比べ、デジタル変換回路を介して複数の入力信号の選択を実現し、モジュールを制御するための具体的な実現方法を提供する。また、本出願の実施例２による音声信号処理装置は、様々なサウンド効果を実現し、異なる内装レイアウトを有する部屋に適応し、ユーザーの時間帯別の需要を満たし、ユーザー体験を向上させ、さらにある程度の娯楽効果をもたらすことができる。
【００２６】
実施例３
図３は、本出願の実施例３による提供されるスピーカーの構造概略図である。説明の便宜上、本出願に関わる部分のみを示す。該スピーカー３０は音声信号処理装置を含み、該音声信号処理装置は、入力モジュール３１、デジタル信号処理モジュール３２、出力モジュール３３及び制御モジュール３４を含む。
【００２７】
そのうち、上記入力モジュール３１は、第１の入力モジュール３１１、第２の入力モジュール３１２及びデジタル変換回路３１３から構成され、該第１の入力モジュール３１１は、上記制御モジュール３４のセントラルプロセッサＡＰＱ８００９  ３４１内に集積され、さらに、該制御モジュール３４のセントラルプロセッサＡＰＱ８００９  ３４１はＧＰＩＯポートを備え、上記デジタル変換回路３１３の動作状態を制御するために用いられる。また、第２の入力モジュール３１２は、マイクとアナログ・デジタル・コンバータＡＤＣを含み、ユーザーから入力されるアナログ音声をＩ２Ｓ信号に変更するために用いられる。本出願の実施例において、入力モジュール３１の機能と実施例２の入力モジュール２１の機能は同じである。具体的に実施例２の記述を参照し、ここで再度の説明を省略する。
【００２８】
本出願の実施例３において、デジタル信号処理モジュール３２は、２種類の異なる音声処理アルゴリズムを用いて上記入力モジュールから出力される音声信号を処理し、上記２種類の異なる音声信号処理アルゴリズムは、それぞれ中高周波数フィルタリング及び低周波数フィルタリングに分けられる。本出願の実施例３において、該デジタル信号処理モジュール３２は、５つの音声処理信号を出力し、そのうち、１つは、低周波数フィルタリング後の音声処理信号であり、別の４つは、中高周波数フィルタリング後の音声処理信号である。
【００２９】
本出願の実施例３において、出力モジュール３３は、５本の出力チャンネルを含み、上記デジタル信号処理モジュール３２から出力される５つの音声処理信号を出力するために使用され、そのうち、上記５本の出力チャンネルは、それぞれ第１の出力チャンネル３３１、第２の出力チャンネル３３２、第３の出力チャンネル３３３、第４の出力チャンネル３３４及び第５の出力チャンネル３３５であり、そのうち、該第１の出力チャンネル３３１は、第１のパワーアンプと２つの拡声器を含み、該第２の出力チャンネル３３２は、第２のパワーアンプと２つの拡声器を含み、該第３の出力チャンネル３３３は、第３のパワーアンプと２つの拡声器を含み、該第４の出力チャンネル３３４は、第４のパワーアンプと１つの拡声器を含み、該第５の出力チャンネル３３５は、第５のパワーアンプと１つの拡声器を含み、そのうち、上記第１の出力チャンネルから上記第４の出力チャンネルは、中高周波数フィルタリング後の音声処理信号を出力し、上記第５の出力チャンネルは、低周波数フィルタリング後の音声処理信号を出力することができる。
【００３０】
制御モジュール３４は、セントラルプロセッサＡＰＱ８００９  ３４１とＩＩＣバス拡張チップ３４２とから構成され、ＡＰＱ８００９  ３４１は、ＩＩＣバス出力ポートを備え、ＡＰＱ８００９  ３４１は、該ＩＩＣバス出力ポートを介して該ＩＩＣバス拡張チップ３４２に接続され、該ＩＩＣバス拡張チップ３４２は、第１のＩＩＣバス出力ポート、第２のＩＩＣバス出力ポート及び第３のＩＩＣバス出力ポート及び第４のＩＩＣバス出力ポートを含み、ＡＰＱ８００９  ３４１は、ユーザーから伝送される制御コマンドを受信し、ＩＩＣバス拡張チップ３４２を介して出力モジュール３３及びデジタル信号処理モジュール３２に伝送し、出力モジュール３３内のそれぞれの出力チャンネル及びデジタル信号処理モジュール３２の動作状態を制御するために用いられる。本出願の実施例３において、ＩＩＣバス拡張チップ３４２と、出力モジュール３３及びデジタル信号処理モジュール３２との間の通信方法について、具体的に実施例２の記述を参照し、ここで再度の説明を省略する。
【００３１】
また、本出願の実施例３による提供されるスピーカーは、円筒体、立方体、直方体又は楕円体等であってもよい。該スピーカー内の前記第１の出力チャンネルから前記第４の出力チャンネル内の７つの拡声器は、該スピーカーの側面に取り付けられ、上記７つの拡声器は、該スピーカーの側面に円形を呈して取り付けられてもよいし、該スピーカーの側面に螺旋状に取り付けられてもよい。さらに、前記第５の出力チャンネルの拡声器は、該スピーカーの端面に取り付けられることができる。
【００３２】
上記により、本出願の実施例３において、ユーザーが利用しやすいため音声信号処理装置をスピーカーにパッケージし、さらに、該スピーカーが様々なサウンド効果を実現し、異なる内装レイアウトを有する部屋に適応し、ユーザーの時間帯別の需要を満たし、ユーザー体験を向上させ、さらにある程度の娯楽効果をもたらすことができる。
【００３３】
以上の実施例は、本出願の技術的解決手段を例示するために使用されているだけで、それらを限定するものではない。本出願は、上記の実施例を参照して詳細に説明されているが、当業者は、前述の各実施例に記載される技術的解決手段を修正するか、その技術的特徴の等価置換を行うことができ、そしてそれらの修正又は置換によって、対応する技術的解決手段が本出願の実施例の技術的解決手段の精神と範囲から逸脱せず、本出願の保護範囲内であると、理解すべきである。
【図１】
2019165443.tif 000003
【図２】
2019165443.tif 000004
【図３】
2019165443.tif 000005